(57)【特許請求の範囲】
【請求項１】
コロイド状物質、前記コロイド状物質よりも粒径が大きい粒子状物質及び放射性物質を含む放射性廃液を、ろ過装置に供給して前記粒子状物質を前記ろ過装置で除去し、前記ろ過装置から排出された前記放射性廃液に含まれる前記コロイド状物質を除去し、前記コロイド状物質が除去された前記放射性廃液が第１吸着装置に供給され、前記放射性廃液に含まれる放射性核種を前記第１吸着装置で除去し、前記第１吸着装置から排出された前記放射性廃液を、前記第１吸着装置の下流に配置されて、オキシン基を表面に担持した吸着剤を充填している第２吸着装置に供給することを特徴とする放射性廃液の処理方法。
【請求項２】
前記コロイド状物質を静電フィルタで除去する請求項１に記載の放射性廃液の処理方法。
【請求項３】
負に帯電している前記コロイド状物質の除去が正に帯電される前記静電フィルタを用いて行われる請求項２に記載の放射性廃液の処理方法。
【請求項４】
前記第１吸着装置で前記放射性核種のイオンが除去された前記放射性廃液に、酸化剤、ｐＨ調整剤及び還元剤のうちの少なくとも１つを注入し、前記酸化剤、前記ｐＨ調整剤及び前記還元剤のうちの少なくとも１つの注入により前記放射性廃液に生成された、前記放射性核種のイオンを、第３吸着装置内の吸着剤で除去し、前記第３吸着装置から排出された前記放射性廃液を前記第２吸着装置に供給する請求項１に記載の放射性廃液の処理方法。
【請求項５】
前記第１吸着装置から排出された前記放射性廃液を液性調整部に供給し、前記酸化剤、前記ｐＨ調整剤及び前記還元剤のうちの少なくとも１つの前記放射性廃液への注入が、前記液性調整部内で行われる請求項４に記載の放射性廃液の処理方法。
【請求項６】
放射性廃液からコロイド状物質よりも粒径が大きい粒子状物質を除去するろ過装置と、前記ろ過装置に接続され、前記コロイド状物質を除去するコロイド除去装置と、前記コロイド除去装置に接続され、放射性核種を吸着する吸着剤を有する第１吸着装置と、前記第１吸着装置の下流に配置されて前記第１吸着装置に連絡され、オキシン基を表面に担持した吸着剤を充填している第２吸着装置とを備えたことを特徴とする放射性廃液処理装置。
【請求項７】
前記コロイド除去装置が前記コロイド状物質を除去する静電フィルタを有する請求項６に記載の放射性廃液処理装置。
【請求項８】
前記放射性核種が除去されて前記第１吸着装置から排出される前記放射性廃液に、酸化剤、ｐＨ調整剤及び還元剤のうちの少なくとも１つを注入する注入装置と、前記酸化剤、前記ｐＨ調整剤及び前記還元剤のうちの少なくとも１つの注入により前記放射性廃液に生成される前記放射性核種のイオンを除去する第３吸着装置とを備え、
前記第２吸着装置が、前記第３吸着装置の下流に配置され、前記第３吸着装置に接続される請求項６に記載の放射性廃液処理装置。
【発明の詳細な説明】
【技術分野】
【０００１】
本発明は、放射性廃液の処理方法及び放射性廃液処理装置に係り、特に、放射性核種を含む放射性廃液から放射性核種を分離除去するのに好適な放射性廃液の処理方法及び放射性廃液処理装置に関する。
【背景技術】
【０００２】
原子力関連施設、例えば、原子力プラントにおいて発生する放射性核種を含む放射性廃液の処理方法の一つとして、イオン交換樹脂等を用いて放射性核種を放射性廃液から除去する吸着処理方法がある。この吸着処理方法は、無機系または有機系の吸着剤、またはイオン交換樹脂によりイオン状の放射性核種を吸着して除去する処理方法である。
【０００３】
原子力関連施設において発生する放射性廃液には、種々の性状（含有成分及びｐＨなど）が想定される。例えば、酸性の放射性廃液及びアルカリ性の放射性廃液が考えられる。また、吸着剤によっては吸着性能を発揮するために適切なｐＨ領域があり、そのような吸着剤を選択する場合には、吸着剤に応じて放射性廃液のｐＨを酸性あるいはアルカリ性に調整し、その後、放射性廃液に含まれる放射性核種を吸着剤に吸着させる処理になる場合もある。いずれにしても、吸着処理後の放射性廃液は、発生時の性状、または含まれる放射性核種及び選択された吸着剤に応じて、種々のｐＨになると考えられる。
【０００４】
放射性核種を除去した後の放射性廃液の処理は、濃縮減容、貯留、固化または系外（例えば環境への）放出などの種々の選択肢が考えられる。いずれの場合も、放射性廃液のｐＨを中性付近に調整した後に、これらを実施する。従って、放射性核種の吸着処理後の放射性廃液のｐＨが中性領域（例えば、ｐＨ４〜９）を外れている場合には、放射性廃液のｐＨを調整する工程が必要である。放射性廃液が酸性になっていればアルカリ添加または脱酸処理を行い、放射性廃液がアルカリ性であれば酸を加えて中和することが必要である。
【０００５】
放射性廃液から放射性核種を吸着除去する処理方法の一例が、例えば、Ikeda et al., Proceedings of GLOBAL 2011, Dec.11-16, 2011, Makuhari, Japan, USA, Paper No. 524705 (2011)に記載されている。この放射性核種の吸着除去処理方法では、吸着材を充填した容器内に放射性廃液を通水し、放射性廃液に含まれたイオン状の放射性核種を吸着材に吸着させて除去している。なお、吸着材を充填した容器内に放射性廃液を供給する前において、放射性廃液に含まれる粒状物質がろ過装置で除去される。
【０００６】
特開２０１３−１０８８０８号公報に記載された放射性廃液の処理方法でも、放射性廃液に含まれるコロイド成分がろ過装置（例えば、限外ろ過膜）で除去されている。放射性廃液のろ過装置への供給は、放射性廃液に水酸化ナトリウムを添加して放射性廃液のｐＨを所定の値に調節した後に行われる。ろ過装置でコロイドが除去された放射性廃液がチタン酸塩系吸着材を充填した吸着塔に供給される。チタン酸塩系吸着材はストロンチウムを吸着しやすいので、放射性廃液に含まれたストロンチウムが吸着塔内で除去される。
【先行技術文献】
【特許文献】
【０００７】
【特許文献１】特開２０１３−１０８８０８号公報
【非特許文献】
【０００８】
【非特許文献１】Ikeda et al., Proceedings of GLOBAL 2011, Dec.11-16, 2011, Makuhari, Japan, USA, Paper No. 524705 (2011)
【発明の概要】
【発明が解決しようとする課題】
【０００９】
吸着処理後の放射性廃液に対して、酸及びアルカリなどの薬剤を添加してｐＨ調整を行うと、その分、放射性廃液の処理方法の工程が増え、さらに、放射性廃液中の塩濃度が増えて最終的な放射性廃棄物の発生量が増加するという課題が生じる。
【００１０】
本発明の目的は、処理工程の追加及び放射性廃棄物の増加を抑制しつつ放射性廃液の最終的なｐＨを中性領域（ｐＨ４〜９）に調整できる放射性廃液の処理方法及び放射性廃液処理装置を提供することにある。
【課題を解決するための手段】
【００１１】
上記の目的を達成する本発明の特徴は、コロイド状物質、前記コロイド状物質よりも粒径が大きい粒子状物質及び放射性物質を含む放射性廃液を、ろ過装置に供給して粒子状物質をろ過装置で除去し、ろ過装置から排出された放射性廃液に含まれるコロイド状物質を除去し、コロイド状物質が除去された放射性廃液が第１吸着装置に供給され、放射性廃液に含まれる放射性核種を第１吸着装置で除去し、第１吸着装置から排出された放射性廃液を、第１吸着装置の下流に配置されて、オキシン基を表面に担持した吸着剤を充填している第２吸着装置に供給することにある。
【００１２】
第１吸着装置の下流に配置されている、オキシン基を表面に担持した吸着剤を充填している第２吸着装置に、第１吸着装置から排出された放射性廃液を救急するので、ｐＨを調節する薬剤を放射性廃液に投入することなしに、放射性廃液のｐＨを４〜９の範囲に調整することができ、放射性廃棄物の発生量を低減することができる。
【００１３】
好ましくは、第１吸着装置で放射性核種のイオンが除去された放射性廃液に、酸化剤、ｐＨ調整剤及び還元剤のうちの少なくとも１つを注入し、酸化剤、ｐＨ調整剤及び還元剤のうちの少なくとも１つの注入により放射性廃液に生成された、放射性核種のイオンを、第３吸着装置内の吸着剤で除去し、第３吸着装置から排出された放射性廃液を第２吸着装置に供給することが望ましい。
【００１４】
これにより、イオンが第１吸着装置で除去された放射性廃液に、酸化剤、ｐＨ調整剤及び還元剤のうちの少なくとも１つを注入し、酸化剤、ｐＨ調整剤及び還元剤のうちの少なくとも１つの注入により放射性廃液に生成された、放射性核種のイオンを、第２吸着装置内の吸着剤で除去するので、放射性廃液に含まれる放射性核種の除去効率をさらに向上させることができる。
【発明の効果】
【００１５】
本発明によれば、放射性廃棄物の発生量を低減しつつ、簡素な装置構成で放射性廃液から放射性廃液のｐＨを中性付近に調整することができる。
【図面の簡単な説明】
【００１６】
【図１】本発明の好適な一実施例である実施例１の放射性廃液の処理方法に用いられる放射性廃液処理装置の構成図である。
【図２】本発明の他の好適な実施例である実施例２の放射性廃液の処理方法に用いられる放射性廃液処理装置の構成図である。
【図３】ｐＨの異なる各放射性廃液に含まれる放射性ルテニウムの化学形態、及び放射性ルテニウムの化学形態ごとの、除去される割合を示す説明図である。
【発明を実施するための形態】
【００１７】
発明者らは、種々の放射性核種のイオンを吸着処理するプロセスを開発する過程で、放射性核種の吸着に伴う放射性廃液のｐＨの変化を調べる試験を行った。これは、吸着剤の組み合わせによっては前段の或る吸着剤による放射性核種の吸着処理が後段の他の吸着剤による別の放射性核種の吸着性能に影響を及ぼす場合があるかもしれないと考えて実施した試験である。その結果、放射性廃液の性状が酸性及びアルカリ性のいずれであっても、放射性廃液を、遷移元素イオンを吸着することで知られるオキシン添着活性炭の充填層を通すことにより、放射性廃液のｐＨが４〜９の範囲内に調整されることを発見した。
【００１８】
発明者らによる上記の試験結果を基に得られた新たな知見に基づいて、発明者らは、オキシン添着活性炭を充填した吸着塔を、放射性廃液に含まれた放射性核種を吸着除去する吸着装置の下流に配置することにより、放射性核種を除去した放射性廃液のｐＨを４〜９の範囲内に調整できることを見出し、本発明の創生に至った。
【００１９】
放射性廃液の処理は、放射性のセシウムやストロンチウムなどの陽イオン、及び放射性アンチモンなどの陰イオン、及び放射性コバルトなどの遷移金属イオンを含む放射性廃液を処理することを想定した。放射性セシウム及び放射性ストロンチウムを選択的に吸着するために、例えば、天然ゼオライト、人工ゼオライトあるいはケイチタン酸を用いる。放射性アンチモン等を選択的に吸着するために、例えば、含水酸化セリウム担持吸着剤を用い、放射性の重金属（例えば、遷移金属及び希土類のイオン）を選択的に吸着するために、例えば、オキシン添着活性炭を用いる。
【００２０】
【表１】
0006046582.tif 000002
【００２１】
表１は、上記の放射性イオンを吸着除去する場合に使用可能な吸着剤、及びこの吸着剤の充填層の通過前後の各試験水のｐＨを示している。試験水−１、試験水−２及び試験水−３は、いずれも、放射性廃液の模擬水である。入口の（  ）内の数値は、吸着剤の充填層の入口での試験水−１、試験水−２及び試験水−３のそれぞれのｐＨ値を示している。「Ｃｓ，Ｓｒ除去」、「アニオン除去」及び「重金属除去」のそれぞれの欄の（  ）内の各数値は、各試験水が吸着剤充填層を通過した後のｐＨ値である。いずれの場合も、放射性核種吸着の最終段に、オキシン添着炭充填層を配置することによって、各試験水のｐＨを４〜９の範囲に調整することができる。
【００２２】
さらに、発明者らは上記の基礎的検討にとどまらず、機器システムの観点からも課題と対応策を検討した。単に、オキシン添着活性炭を充填した吸着塔の配置だけでは、吸着塔の中で放射性廃液のｐＨが中性領域になった結果、放射性廃液に含まれる溶存成分が吸着塔内で析出して閉塞を起こすことが懸念される。その対策として、吸着工程の前にろ過装置及びコロイド除去装置を配置し、固形分の析出ポテンシャルを極力低減するシステム構成にすることが必要である。
【００２３】
上記の検討結果を反映した、本発明の実施例を以下に説明する。
【実施例１】
【００２４】
上記の知見に基づいた本発明の好適な一実施例である実施例１の放射性廃液の処理方法を、図１を用いて説明する。さらに、この放射性廃液の処理方法に用いられる放射性廃液処理装置を、図１を用いて説明する。
【００２５】
本実施例に用いられる放射性廃液処理装置１は、ろ過装置２、コロイド除去装置３、吸着装置（第１吸着装置）５及び吸着塔（第２吸着装置）２１を有する。ろ過装置２は、放射性廃液に含まれる粒子成分を物理的にろ過する装置であり、ろ過材を充填したカートリッジフィルタ（またはプリーツフィルタ）を内部に設けている。ろ過装置２は、放射性廃液に含まれる約１μｍ以上の粒子を除去する。コロイド除去装置３は、ケーシング内に複数の静電フィルタ４を設置している。吸着装置５は複数の吸着塔６を有する。放射性廃液に含まれる放射性核種の種類に応じて選定した吸着剤が、別々に各吸着塔６内に充填されている。放射性廃液供給管７がろ過装置２に接続される。ろ過装置２とコロイド除去装置３は接続配管８によって接続される。吸着装置５における複数の吸着塔６のうち最も上流に位置する吸着塔６が、接続配管９によってコロイド除去装置３に接続される。吸着装置５内のそれぞれの吸着塔６は、配管１０によって順次接続されている。吸着装置５の下流に配置されてオキシン添着活性炭が充填された吸着塔２１が、配管１１によって吸着装置５内で最も下流に位置する吸着塔６に接続される。オキシン添着活性炭は、オキシン基が担体である活性炭の表面に担持されている吸着剤である。
【００２６】
吸着装置５の各吸着塔６に充填する吸着剤としては、放射性セシウム及び放射性ストロンチウムを選択的に吸着するために、例えば、天然ゼオライト、人工ゼオライト及びケイチタン酸を用い、放射性アンチモン等を選択的に吸着するために、例えば、含水酸化セリウム担持吸着剤を用い、放射性の重金属を選択的に吸着するために、例えば、オキシン添着活性炭を用いる。これらの吸着剤が各吸着塔６に別々に充填されている。吸着装置５において用いられる放射性核種を吸着する吸着剤として、ゼオライト、フェロシアン化物、チタン酸化合物、チタン酸塩化合物、イオン交換樹脂、キレート樹脂、活性炭及び添着活性炭のうちの少なくとも一つが選択される。ここで、本実施例では、上記したように、オキシン添着活性炭を充填した吸着塔２１が、吸着装置５の下流に配置されている。
【００２７】
放射性廃液処理装置１を用いた本実施例の放射性廃液の処理方法を説明する。
【００２８】
放射性廃液に含まれた１μｍ以上の粒子がろ過装置２内のカートリッジフィルタによって除去される。ろ過装置２から排出された放射性廃液が、接続配管８を通してコロイド除去装置３に供給される。
【００２９】
放射性廃液に含まれるコロイドが、コロイド除去装置３内の静電フィルタ４によって除去される。１μｍ未満の微粒子は、コロイドと呼ばれている。コロイドが放射性核種（放射性セシウム、放射性ストロンチウム及び放射性アンチモンなど）を含んでおり、静電フィルタ４によるコロイドの除去は、コロイドに含まれる放射性核種も併せて除去する。コロイドは表面が正または負に帯電している。コロイドの帯電が正か負かは、そのコロイドを形成する物質及び表面構造によって決まる。例えば、土壌成分由来のコロイドは負に帯電していることが多い。本実施例では、コロイド除去装置３内の静電フィルタ４は正に帯電したものを使用し、放射性廃液に含まれた負に帯電しているコロイドが静電フィルタ４の表面に付着されて除去される。コロイド除去装置３に供給される放射性廃液のｐＨ調節は不要である。静電フィルタ４では、約１ｎｍ以上１μｍ未満の範囲の粒径を有するコロイド粒子が除去される。
【００３０】
コロイド粒子が除去された放射性廃液が、接続配管９を通して吸着装置５の吸着塔６に供給される。吸着装置５に供給される放射性廃液は、粒子成分及びコロイドを含んでいない。放射性廃液に含まれる、例えば、放射性セシウム、放射性ストロンチウム及び放射性アンチモン等の放射性核種はイオンになっている。放射性廃液が複数の吸着塔６を通過するたびに、放射性廃液に含まれる放射性セシウム、放射性ストロンチウム、放射性ヨウ素等の各放射性核種が各吸着塔６で別々に吸着剤に吸着されて除去される。
【００３１】
吸着装置５から排出された放射性廃液に残存しているコバルトなどの遷移金属イオン及びランタン及びセリウムなどの希土類の金属元素イオンが、吸着塔２１内のオキシン添着活性炭に吸着されて除去されると共に、吸着塔２１内で放射性廃液のｐＨが中性（ｐＨ４〜９の範囲）に調整される。吸着塔２１から排出管１４に排出された処理水のｐＨは（ｐＨ４〜９の範囲）に調整されている。吸着装置５のそれぞれの吸着塔６には、放射性廃液に含まれるそれぞれの放射性核種の全量を十分に吸着できる量の該当する吸着剤が充填されている。このため、吸着塔２１から排出管１４に排出された処理水に含まれる各放射性核種の濃度は、測定下限値以下になる。吸着装置５から排出された処理水は、排出管１４を通して貯蔵タンク（図示せず）に供給されて保管される。
【００３２】
本実施例によれば、ろ過装置２、静電フィルタ４を用いたコロイド除去装置３及び吸着装置５を有する簡素な装置構成で、放射性廃棄物の発生量を低減することができ、放射性核種を測定下限値以下まで除去することができる。さらに、オキシン添着活性炭を充填した吸着塔２１を吸着装置５の下流に配置することにより、特別に、ｐＨを調節する薬剤を放射性廃液に投入することなしに、放射性廃液のｐＨを４〜９の範囲に調整することができる。
【実施例２】
【００３３】
吸着剤を用いた、放射性廃液からの放射性核種の除去には、陽イオン交換樹脂、キレート樹脂、及び陰イオン交換樹脂などが用いられる。これらの吸着剤は、プラスの電荷を有するイオン、マイナスの電荷を有するイオン、及び錯体を形成するイオンに対しては高い除去性能を有している。しかしながら、吸着剤は、コロイド及び中性溶存種については、比較的低い除去性能しか有していない。
【００３４】
このため、放射性廃液に含まれている放射性核種を効率良く除去するために、酸化剤、還元剤またはｐＨ調整剤を用いて、放射性廃液に含まれる放射性核種の化学形態を調整することが望ましい。しかし、実際には、多くの放射性核種が複数の化学形態をとるため、放射性廃液の状態（ｐＨなど）をある一つの条件に調整したとしても、放射性廃液に含まれるあらゆる放射性核種を完全に除去することは困難である。
【００３５】
そこで、発明者らは、放射性核種の種類及び濃度、及び放射性廃液の組成などが不明である場合においても、放射性核種を吸着剤により放射性廃液から効率良く除去できる方法を、鋭意、検討した。この検討の結果、放射性廃液に含まれる放射性核種を吸着剤層に通水して吸着剤層内の吸着剤により除去し、その後に、酸化剤、還元剤及びｐＨ調整剤のうちの少なくとも１つの薬剤を放射性廃液に添加し、その薬剤を添加した放射性廃液を、再度、吸着剤層に通液してこの放射性廃液に含まれる放射性核種を除去することが、放射性廃液からの、効果的な放射性核種の除去方法となることを発明者らはさらに見出した。
【００３６】
放射性核種の一つであるルテニウムを例として説明する。ルテニウムの放射性同位体、例えばＲｕ−１０６は、放射性廃液の性状により複数の酸化数を取り且つ複数の化学形態をとることが知られている。
【００３７】
発明者らは、ルテニウムを含む海水のｐＨを酸性（ｐＨ２）、中性（ｐＨ７）、及びアルカリ性（ｐＨ１２）と変え、各ｐＨの海水に含まれる化学形態が異なる各ルテニウムの吸着剤による除去率を求めた。この結果、上記の各ｐＨの海水に含まれるルテニウムの代表的な各化学形態、及びそれぞれのｐＨの海水に含まれる各化学形態のルテニウムの、吸着剤による除去率を図３に示す。
【００３８】
中性の海水中では、ルテニウムは、主に陽イオン（Ｒｕ(ＯＨ)2+など）及び中性溶存種（Ｒｕ(ＯＨ)4など）として存在しており、吸着剤により除去困難な中性溶存種の割合は約７４％である。一方、酸性（ｐＨ２）の海水では、ルテニウムの約５８％が陽イオン（ＲｕＣｌ2+など）、及び約１２％が陰イオン（ＲｕＣｌ4-など）として存在し、ルテニウムの中性溶存種（ＲｕＣｌ3など）は約３０％になっている。アルカリ性の海水中では、ほぼ１００％がルテニウムの中性溶存種（Ｒｕ(ＯＨ)4）である。
【００３９】
したがって、放射性廃液に含まれるルテニウムを吸着剤により除去するためには、放射性廃液を酸性に調整した後でルテニウムを吸着剤で吸着して除去することが望ましい。この場合では、酸性の放射性廃液に含まれる約３０％の中性溶存種は吸着剤によって除去することができない。
【００４０】
そこで、例えば、最初に、中性の放射性廃液に対して吸着剤によるルテニウムの吸着処理を行った場合には、２６％のルテニウムの陽イオン（Ｒｕ(ＯＨ)2+）が除去される。その後、その放射性廃液を酸性（例えば、ｐＨ２）に調整してルテニウムの吸着処理を行うと、放射性廃液に残存する中性溶存種の割合を約２２％（＝７４％×３０％）に低減することができる。このため、放射性廃液のｐＨ調整前に、放射性廃液から除去可能なルテニウムを吸着除去し、その後、放射性廃液のｐＨを酸性（例えば、ｐＨ２）に調整して、再度、ルテニウムの吸着処理を行うことにより、放射性廃液に含まれる、吸着剤での除去が困難な中性溶存種を、低減することができる。
【００４１】
また、例えば、放射性廃液のｐＨが２であった場合、放射性廃液に含まれるルテニウムの吸着処理を行うと、約３０％の中性溶存種が放射性廃液中に残存する。この放射性廃液のｐＨを、再度、ｐＨ２に調整して吸着剤による吸着処理を行った場合には、放射性廃液に残存する中性溶存種の割合が、９％（＝３０％×３０％）に低減される。
【００４２】
このように、以上に述べた、発明者らが新たに創生した放射性廃液の処理方法によれば、放射性廃液に含まれる放射性核種を吸着剤により効率良く除去することができる。
【００４３】
吸着剤としては、例えば、イオン交換樹脂（陽イオン交換樹脂、陰イオン交換樹脂）、キレート樹脂、活性炭、オキシン添着活性炭、ゼオライト、チタン酸化合物、チタン酸塩化合物及びフェロシアン化物のうち少なくとも一つが用いられる。これらの吸着剤は、吸着する放射性核種の種類に応じて適宜選択して使用される。また、使用可能な酸化剤としては、例えば、過酸化水素、オゾン、過マンガン酸及びその塩の水溶液、次亜塩素酸及びその塩の水溶液がある。
【００４４】
使用可能な還元剤としては、例えば、アスコルビン酸、ヒドラジン、シュウ酸などがある。ｐＨ調整剤としては、例えば、塩酸、硝酸、硫酸、及びリン酸等の酸溶液、及び炭酸水素ナトリウム、炭酸ナトリウム、水酸化ナトリウム、及び水酸化カリウム等のアルカリ溶液がある。
【００４５】
発明者らが得た上記の新しい知見を前述の実施例１に反映してなる、本発明の他の好適な実施例である実施例２の放射性廃液の処理方法を、図２を用いて説明する。
【００４６】
本実施例の放射性廃液の処理方法に用いられる放射性廃液処理装置１Ｂは、実施例１の放射性廃液の処理方法に用いられる放射性廃液処理装置１において調整タンク（液性調整部）１５、ｐＨ調整剤供給装置及び吸着装置５Ｂを追加した構成を有する。放射性廃液処理装置１Ｂの他の構成は放射性廃液処理装置１と同じである。
【００４７】
放射性廃液処理装置１Ｂの、放射性廃液処理装置１と異なる構成を説明する。調整タンク１５が、配管１２によって吸着装置５内で最も下流に位置する吸着塔６に接続される。ｐＨ調整剤供給装置はｐＨ調整剤タンク１６及びｐＨ調整剤供給配管１７を有し、ｐＨ調整剤タンク１６は開閉弁（図示せず）を設けたｐＨ調整剤供給配管１７によって調整タンク１５に接続される。本実施例では、ｐＨ調整剤である塩酸水溶液がｐＨ調整剤タンク１６に充填されている。
【００４８】
吸着装置５Ｂは複数の吸着塔６Ｂを有する。放射性廃液に含まれる放射性核種の種類に応じて選定した吸着剤が、別々に各吸着塔６Ｂ内に充填されている。調整タンク１５に接続された配管１３が、吸着装置５Ｂ内で最も上流に位置する吸着塔６Ｂに接続される。吸着装置５Ｂ内の各吸着塔６Ｂは配管１０Ｂによって順次接続されている。
【００４９】
オキシン添着活性炭が充填された吸着塔２１が、吸着装置５Ｂの下流に配置され、配管１１によって吸着装置５Ｂ内で最も下流に位置する吸着塔６Ｂに接続される。排出管１４が吸着塔２１に接続される。
【００５０】
各吸着塔６Ｂ内のそれぞれの吸着剤層には、吸着により除去する放射性核種に応じて選択された吸着剤が別々に充填されている。放射性セシウム及び放射性ストロンチウムを選択的に吸着するためには、例えば、天然ゼオライト、人工ゼオライト及びケイチタン酸を用い、放射性アンチモン等を選択的に吸着するためには、例えば、含水酸化セリウム担持吸着剤を用いる。また、ある吸着塔２Ａの吸着剤層には、イオン交換樹脂（陽イオン交換樹脂及び陰イオン交換樹脂）が充填される。
【００５１】
放射性廃液処理装置１Ｂを用いた本実施例の放射性廃液の処理方法を説明する。本実施例の放射性廃液の処理方法では、沸騰水型原子力プラントにおいて発生した放射性廃液が処理される。放射性廃液は、例えば、ルテニウム、テクネチウム及びニオブなどの遷移金属、セシウムなどのアルカリ金属、ストロンチウムなどのアルカリ土類金属、セリウムなどの希土類といった金属元素、アンチモン、テルル、ヨウ素などのハロゲン、及び炭素、ホウ素といった非金属元素のうちの一種あるいは複数の放射性核種を含んでいる。
【００５２】
複数の放射性核種を含む放射性廃液は、実施例１と同様に、ろ過装置２及びコロイド除去装置３に順次供給される。放射性廃液に含まれる１μｍ以上の粒子がろ過装置２で除去される。その後、ろ過装置２から排出された放射性廃液が吸着装置５の各吸着塔６内を流れるとき、各吸着塔６内の吸着剤は、吸着剤層内の吸着剤の種類に応じて、その放射性廃液に含まれるルテニウム等の放射性核種の陽イオン及び陰イオンを吸着して除去する。各吸着塔６内の吸着剤によって吸着除去されなかった放射性核種は、放射性廃液と共に配管１２内を流れて調整タンク１５に導かれる。
【００５３】
吸着装置５に供給される放射性廃液のｐＨが７である場合には、放射性核種の一種であるルテニウムは、放射性廃液内で陽イオン（Ｒｕ(ＯＨ)2+など）及び中性溶存種（Ｒｕ(ＯＨ)4など）として存在している。放射性廃液が吸着装置５内を流れる間に該当する吸着塔６において、ルテニウムの陽イオン（Ｒｕ(ＯＨ)2+など）が吸着されて除去される。ルテニウムの中性溶存種（Ｒｕ(ＯＨ)4など）は、吸着装置５で除去されないまま、調整タンク１５に流入する。
【００５４】
ｐＨ調整剤タンク１６内の塩酸水溶液がｐＨ調整剤供給配管１７を通して調整タンク１５内の放射性廃液に注入される。オゾンが溶解された放射性廃液及び塩酸水溶液が、調整タンク１５内で、上記の撹拌装置によって混合される。オゾンガスの注入によってもルテニウムの陽イオンに転換されなかったルテニウムの中性溶存種（Ｒｕ(ＯＨ)4）が、塩酸水溶液の注入によって放射性廃液を酸性（例えば、ｐＨ２）に調整することにより、ルテニウムの陽イオン（ＲｕＣｌ2+など）、ルテニウムの陰イオン（ＲｕＣｌ4-など）及びルテニウムの中性溶存種（ＲｕＣｌ3など）に転換される。放射性廃液に含まれるルテニウム以外の放射性核種も陽イオン及び陰イオンに転換される。
【００５５】
調整タンク１５内で生成されたルテニウムの陽イオン（ＲｕＣｌ2+など）、ルテニウムの陰イオン（ＲｕＣｌ4-など）及びルテニウムの中性溶存種（ＲｕＣｌ3など）、さらに、ルテニウム以外の放射性核種の陽イオン、陰イオン及び中性溶存種を含む放射性廃液が、配管１３を通して、吸着装置５Ｂの最上流に位置する吸着塔６Ｂに供給される。そして、この放射性廃液は、配管１２を通して吸着装置の他のそれぞれの吸着塔６Ｂに、順次、供給される。３価のルテニウムの陽イオン（ＲｕＣｌ2+など）及びルテニウムの陰イオン（ＲｕＣｌ4-など）、及びルテニウム以外の放射性核種の陽イオン及び陰イオンが、該当する吸着塔６Ｂで吸着剤に吸着されて除去される。吸着装置５Ｂの各吸着塔６Ｂで除去されなかったルテニウムの中性溶存種（ＲｕＣｌ3など）及びルテニウム以外の放射性核種を含む放射性廃液が、吸着装置５Ｂから排出管１４に排出される。
【００５６】
ｐＨ調整剤水溶液は、調整タンク１５内の放射性廃液に必要に応じて添加してもよいし、または添加しなくてもよい。
【００５７】
本実施例では、放射性廃液にｐＨ調整剤を添加する例について述べたが、放射性廃液に添加する薬剤としては、酸化剤、還元剤及びｐＨ調整剤のうち少なくとも１種を用いればよい。例えば、さらに、調整タンク１５内の放射性廃液に酸化剤及び還元剤を添加する場合には、ｐＨ調整剤と同様に、酸化剤タンク、及び開閉弁を設けた酸化剤供給配管を有する酸化剤供給装置、及び還元剤タンク、及び開閉弁を設けた還元剤供給配管を有する還元剤供給装置をそれぞれ調整タンク１５に接続すればよい。
【００５８】
本実施例は実施例１で生じる効果を得ることができる。さらに、本実施例では、吸着装置５で放射性廃液に含まれるルテニウム等の放射性核種のイオン（陽イオン及び陰イオン）を除去し、調整タンク１５内で、ルテニウム等の放射性核種の中性溶存種を含む放射性廃液にｐＨ調整剤である塩酸を注入して、ルテニウム等の放射性核種の中性溶存種を、放射性廃液のｐＨを、例えば、酸性に調整することによって、ルテニウム等の放射性核種の中性溶存種を、陽イオン及び陰イオンに変えることができる。このため、中性溶存種から生成されたルテニウム等の放射性核種の陽イオン及び陰イオンを吸着装置５Ｂで吸着により除去することができる。このため、放射性廃液に含まれる放射性核種をさらに低減することができる。本実施例では、放射性廃液に含まれる放射性核種の除去効率をさらに向上させることができる。
【符号の説明】
【００５９】
１、１Ｂ…放射性廃液処理装置、２…ろ過装置、３…コロイド除去装置、４…静電フィルタ、５、５Ｂ…吸着装置、６、６Ｂ、２１…吸着塔、１５…調整タンク、１６…ｐＨ調整剤タンク、１７…ｐＨ調整剤供給配管。
【図１】
0006046582.tif 000003
【図２】
0006046582.tif 000004
【図３】
0006046582.tif 000005